(57)【要約】【課題】道路に面して建つ電柱は、雄犬のマーキング本能による放尿に常にさらされている。放尿された尿はコンクリートにしみ込み、長年を経て鉄筋材を錆びさせ、コンクリート電柱の強度劣化を引き起こす。この放尿によるコンクリート電柱への影響を防ぐことは、その影響速度が遅いために気付きにくいが、しかし着実に進行している劣化であり、これを解決することを課題とした。【解決手段】遮蔽板と樋とから成る防護包装を電柱に巻きつけて固定することを行う。少量の放尿が多数の雄犬により繰り返されるのに対し、遮蔽板がまず電柱への浸透を防ぎ、放尿された尿をまず樋に受ける。この尿は乾燥濃縮されて樋の中に留まり、降雨時に希釈されて地面に放出されて広がり下水道に誘導されることで、電柱の放尿被害を防ぐ。【選択図】図１
2014087280.tif 000002
【特許請求の範囲】
【請求項１】
電柱の外周の１/２から２/３を覆う長さの矩形であり、長い辺の一方の縁には樋形状の折り返しが有り、この折り返し部を下にして電柱の下部に巻きつけることで折り返し部が樋として連通されてなる電信柱を放尿から守る包装防具であって、電柱の外周の長さの１/２から２/３を覆う長さと、３０〜７０ｃｍの幅を持ち、両端部にバンドを取り付ける保持機構を備えたことを特徴とする電柱の放尿防御包装具。
【請求項２】
電柱の周方向に沿うように湾曲して巻きつけ固定がやりやすく、また樋となる折り返し部が下部にある形態であることを特徴とする請求項１に記載の電柱の放尿防御包装具。
【発明の詳細な説明】
【技術分野】
【０００１】
本発明は従来の如く、電柱の根本部を無防備に露出して置くのでなく、また電柱の根本に雄犬が放尿時に忌避する形状の突起物を備えるのでもなく、雄犬が縄張り誇示の本能であるマーキングとして電柱の根本に放尿し、これが原因で電柱の根本の強度が落ち、また美観と悪臭のもとになることを防ぐことを図った、雄犬の尿を電柱のコンクリートに浸透させず、放尿された尿を次の降雨まで一時的に留めることを行う電柱の放尿防御包装具に関する。
【背景技術】
【０００２】
現在使用のコンクリート製の電柱は、従前の木材製から代わったものであり、その規格性と強度により普及している。この通常のコンクリート製電柱においては、型枠の内側に鉄筋材を入れ、これに水を加えて練られたコンクリートを流し込んで回転させながら固化させることで、中空のコンクリート電柱を製作している。
【０００３】
コンクリートは、液体への濡れ性が良く、また細孔があるために、水及び尿の浸透が有り、深く浸透した酸性の尿の影響で、表層に近く存在する鉄筋材が錆びて電柱を内部腐食することを防ぎえない。鉄筋材は錆びると膨張し、コンクリートを中から圧力をかけて破壊し、これも電柱強度に対する悪影響となる。
【０００４】
地球温暖化による異常気象の増加で、強風による電柱の倒壊が増え、また地震被害も多くなっているが、都会の電柱において、倒壊は根本から起きている。その状況を図３の写真に示す。一方、ペット犬の居ない田舎での電柱は、地上１ｍぐらいのところから折れているのを見る。すなわち、雄犬の放尿が電柱の強度に悪影響を及ぼしていると考えられるのである。また悪臭と美観の問題もある。
【０００５】
これに対する対策としては、新しい電柱への早期の交換が行われている。通常は寿命５０年と言われるが、状況により異なる。停電をささないという条件内での交換作業は困難を極めるため、電柱の耐久性への研究はなされている。また放尿を防ぐ方法の提案も出されている。
【０００６】
特許文献１は、電柱の根本に、犬が放尿をとどまる、突起のある忌避器具を巻くものであり、その効果は認められるが、細い突起であるため、長期使用に耐えず、また犬の放尿を完全に防ぎきれず、一度着臭が起きると、その突起部本体に次の放尿を促してしまうと言う問題点が有った。
【先行技術文献】
【特許文献】
【０００７】
【特許文献１】特開２０１０−２６８７９１号公報
【発明の概要】
【発明が解決しようとする課題】
【０００８】
本発明は、電柱の存在が雄犬の尿意を促し、雄犬の縄張り表示のために本能的に放尿して、その結果電柱のコンクリート材に尿が浸透して、このために電柱内の鉄筋材が錆びて内部腐食して電柱の根本の強度が落ち、強風或いは地震により根本からの倒壊を起こすことを防ぐ電柱の放尿防御包装具を提供することを目的とする。
【課題を解決するための手段】
【０００９】
本発明は、
（１）電柱の外周の１/２から２/３を覆う長さの矩形であり、
長い辺の一方の縁には樋形状の折り返しが有り、
この折り返し部を下にして電柱の下部に巻きつけることで、
折り返し部が樋として連通されてなる電信柱を放尿から守る包装防具であって、
電柱の外周の長さの１/２から２/３を覆う長さと、３０〜７０ｃｍの幅を持ち、両端部にバンドを取り付ける保持機構を備えたことを特徴とする電柱の放尿防御包装具。
（２）電柱の周方向に沿うように湾曲して巻きつけ固定がやりやすく、
また樋となる折り返し部が下部にある形態であることを特徴とする（１）に記載の電柱の放尿防御包装具。
である。
【００１０】
本発明は、電柱の下部に、樋を下端に備えた放尿防御包装具（以下、「防御包装」という）を巻きつけるもので、その被覆範囲は、電柱の全周の１/２〜２/３の範囲であり、樋に水の溜まる体積（以下、樋体積という）を３〜３０ｃｃとし、これに固定具の取り付け部を備えた、図１を一例とする防御包装である。
【００１１】
防御包装の本体と樋は一体に成形する、これは円滑な尿の流下に有用である。柔軟な樹脂材を使用して、電柱に装着する前は平らであるのも良く、また硬質な樹脂材を使って電柱に装着した時の形状を事前に作っておくのも良い。
【００１２】
本発明で重要な役目を果たす樋について述べる。電柱に雄犬が放尿する1回の量は多くはない。これはマーキングのために必要な最少量を使用し、多数の箇所に放尿しようとする本能によるからである。同じ目的から、放尿位置は他の雄犬の鼻の高さを狙っていると思われる位置となる。
【００１３】
放尿の量の測定は、放尿されて出来た濡れ面の大きさと同等の大きさの濡れ面をスポイトからの放水で作り、これで放尿量を測定した。放尿の高さは放尿後の実測による。それによると放尿量は０．３〜１ｃｃ、放尿高さは１５〜４２ｃｍであった。場所と環境によるが１日の放尿回数を１０回と考え、これから求めた放尿量をわずかに越える樋の保持体積が望ましい。好天の日には１日で乾燥し雨天の日は薄められてあふれる。
【００１４】
主に夕方に放尿された尿は、樋の中に溜まって乾燥し濃縮される。これが毎日積み重ねられていき、降雨がある時に、雨により希釈されて流される。この時電信柱の根本にも流れるが、そこでは尿が薄められており、また電柱も雨水で濡れており、電柱のコンクリートへの付着は殆んど起きない。
【００１５】
この樋体積が大きいと降雨が少ないと洗い流されるのが遅れて、小さい降雨の時には洗い流されることが無い、一方樋体積が小さいと放尿の総量が多い時にあふれてしまう、重要なのはその兼ね合いであるが、樋により保持されて濃縮された尿の臭いは強く、樋に留まる尿が増えるとマーキングのための放尿量が少なくなる傾向があり、樋は有効に働く。樋体積は３〜１０ｃｃで充分であるが、降雨の受け皿のために、上面に幅を作ることが良い。
【００１６】
降雨時の希釈放出のために、図２の如く樋の端部を開放しておき、流れ出やすくする方法もある、この場合放尿された尿は防御包装の壁面に付着し、一部樋の下部に留まって濃縮され、降雨時に希釈されて流れ出る。
【００１７】
高さに関しては、防御包装を道路に接する最下部にして電柱に装着することで。下部の保護は行われる、ここでは小さい雄犬は出来るだけ高く放尿しようとすることが活かされる。大きい雄犬は高く放尿しないので、高さが４０ｃｍを越えることは稀である。
【００１８】
電柱は道路のわきに設置されている、そのため放尿は一方向から行われる、稀に道路の角の凸部に設置されている場合もあるが、雄犬は前の雄犬の放尿部分に被せて放尿しようとするため放尿部分の巾は狭く、防護包装の周方向の幅は電柱の全周に対して２/３を覆うことで充分である。
電柱への防護包装の装着は保持機構を使って通常のバンドを使い通常の方法で行えば良いので説明を略す。
【００１９】
この本発明の防護包装は、少量を多数回、雄犬の本能から来る防ぎきれないマーキングによる放尿を電柱本体にかけることなく、防御包装の遮蔽板が表面で受けて、それを表面に着けるとともに下の樋に流して受け、好天時には乾燥濃縮し、雨天時には希釈放出する機能を発揮するので、バンドで電柱の根本に装着することで、電柱の根本部の内部腐食を守ることが出来る。
【００２０】
さらに適時に交換して、破損と美観を整え、電柱耐久期間を延長することを可能とし、電力や通信の人の生活に必要なインフラ整備に役立つこととしたものである。
【発明の効果】
【００２１】
本発明は、電柱の根本の外周の犬の通行側に、雄犬により放尿される尿を受ける遮蔽板となり、なおその下の樋で下に垂れる尿を受けて留めることで、尿が電柱の表面にしみ込み、また直下の地面にしみ込んで、電柱の内部腐食の進むことを防ぐことが出来る。放尿された尿は、好天時には防護包装の表面と、樋の底部で濃縮乾燥され、降雨時に溶解希釈されて、希釈された状態で放出され流される。従って電柱への影響が無い状態で希釈された尿は下水道に誘導される。さらにまた、電柱への固定を、取り外しに便利なバンドによって行うため、長い寿命の電柱と比べると、寿命が短い防護包装の交換にも便であると言う効果を有する。
【発明を実施するための形態】
【００２２】
以下本発明を実施例で説明する。
【実施例１】
【００２３】
図１は符号１の遮蔽板に硬質或いは半硬質の樹脂を使用し、符号２の樋を全長に備えて、あふれない形状にした実施例である。この材質としては厚さ３ｍｍのアクリル板を使用し、圧空成形法により湾曲形状に成形した。直径３５ｃｍの電柱用であり、防護包装の長さは７０ｃｍ、幅は５５ｃｍである。符号３の電柱に固定する、符号４のバンドは通常のＰＰバンドを使用している。
【００２４】
樋の深さは５ｍｍ、幅は５ｍｍで、ここの樋体積は３０ｃｃであり、使用による観察では、少雨の時は保持し、大雨の時にあふれて、保持量としては充分であった。
【実施例２】
【００２５】
図２は符号１の遮蔽板に軟質の樹脂を使用した、下部に来る端部を符号２の樋状に折り曲げただけの簡便な方法による実施例である。材質は３ｍｍ厚さの曲げ柔軟性を持った塩ビであり、加熱バーにより片端辺を折り返して、同時に符号５の伸縮溝をつけた、平らな板材であり、これを電柱に巻きつけることで、湾曲形状にして、電柱の外面になじませ、符号４のバンドで締めつけて固定する。
防護包装の長さは７０ｃｍ、幅は５５ｃｍである。バンドは通常のＰＰバンドを使用している。
【００２６】
樋の深さは１０ｍｍ、幅は５ｍｍで、ここの樋体積は３ｃｃであり、晴天時にはこの樋内部に尿は留まり、降雨時に希釈された尿が樋の両端から流れ出る、使用による観察では、降雨時の尿が希釈された液の流出は良好であった。
【図面の簡単な説明】
【００２７】
【図１】電柱に取り付けた、端部が閉まった樋を持つ防護包装の図
【図２】電柱に取り付けた、端部が開放した樋を持つ防護包装の図
【図３】地震により倒壊した電柱の根本の写真
【産業上の利用可能性】
【００２８】
本発明は、樹脂成型で安易に製造できる形状をしており、電柱に簡易に取り付けることが出来るものである。雄犬の放尿から電柱の内部腐食を守る遮蔽板と、放尿された尿を一時的に留める樋を持ち、降雨時に希釈して放出することが出来るため、電柱の表面への放尿の影響を防ぎ、電柱の内部腐食を未然に防ぐために電柱の寿命を延ばすものであり、電気や通信のインフラを有効安全に維持することに対し有効な手段となるものである。
【符号の説明】
【００２９】
１  防護包装の遮蔽板
２  防護包装の樋
３  電柱
４  取り付けバンド
５  伸縮溝
【図１】
2014087280.tif 000003
【図２】
2014087280.tif 000004
【図３】
2014087280.tif 000005